(57)【特許請求の範囲】
【請求項１】
人体の局部を洗浄する洗浄水を加熱する人体局部洗浄装置の熱交換器であって、
軸線方向に沿って延びる棒状に形成され、前記洗浄水を加熱するヒータと、
両端にそれぞれ開口部を有し、かつ、内径を前記ヒータの外径より大きくなるように設定された筒状に形成され、内部に前記ヒータを収容するとともに、前記洗浄水が流通する流路が設けられたケースと、
両前記開口部をそれぞれ液密的に塞ぐ第一キャップおよび第二キャップと、
前記第一キャップおよび前記第二キャップのいずれか一方に一体に形成され、前記流路に前記洗浄水を導入する導入管と、
前記第一キャップおよび前記第二キャップのいずれか一方に一体に形成され、前記流路から前記洗浄水を導出する導出管と、を備え、
前記流路は、前記ケースの前記内部で前記ヒータの外周の空間が前記ヒータの周方向に互いに仕切られて前記洗浄水を前記軸線方向に流通する複数の直線部と、前記直線部による前記洗浄水の流通方向を反対方向に折返す折返し部とを有し、前記直線部と前記折返し部とが交互に接続されることにより、前記ヒータの両端部間を前記ヒータの前記周方向に亘って蛇行状に形成されている人体局部洗浄装置の熱交換器。
【請求項２】
前記ケースには、前記ヒータの径方向に延びて前記直線部を前記周方向に仕切る側壁が設けられている請求項１記載の人体局部洗浄装置の熱交換器。
【請求項３】
前記直線部は偶数個形成され、前記導入管及び前記導出管が前記第一キャップ及び前記第二キャップの一方に形成された請求項１又は請求項２記載の人体局部洗浄装置の熱交換器。
【請求項４】
前記直線部は奇数個形成され、前記導入管と前記導出管とが前記第一キャップ及び前記第二キャップのそれぞれ異なるキャップに形成された請求項１又は請求項２記載の人体局部洗浄装置の熱交換器。
【請求項５】
前記導入管および前記導出管の少なくとも一方は、前記軸線方向に沿って形成されている請求項１乃至請求項４の何れか一項記載の人体局部洗浄装置の熱交換器。
【請求項６】
前記導入管および前記導出管の少なくとも一方は、前記ヒータの軸線に向かう方向に沿って形成されている請求項１乃至請求項４の何れか一項記載の人体局部洗浄装置の熱交換器。
【発明の詳細な説明】
【技術分野】
【０００１】
本発明は、人体局部洗浄装置の熱交換器に関する。
【背景技術】
【０００２】
人体局部洗浄装置の熱交換器の一形式として、特許文献１に示されているものが知られている。特許文献１の図１に示されているように、人体局部洗浄装置の熱交換器は、水を加熱するシーズヒータ７、シーズヒータ７を囲む円筒状のケース８、シーズヒータ７の外周に形成された流路９、流路９に水を取り込む流入口１０および流路９の湯を取り出す流出口１２を備えている。流入口１０および流出口１２は、ケース８に例えばロウ付けによって接合されている。また、ケース８の一端１３は、シーズヒータ７の外表面に密着するように形成されている。ケース８の一端１３とシーズヒータ７の外表面とは、例えばロウ付けによって液密に接合されている。ケース８の他端１４には、シーズヒータ７の外表面との間隙にスペーサ１５が挿入されている。スペーサ１５は、ケース８およびシーズヒータ７に例えばロウ付けによって液密に接合されている。このように、特許文献１の熱交換器は、耐熱性の低いパッキン等の部材を無くした一体構成に形成されることによって、耐熱性および液密性を確保している。
【先行技術文献】
【特許文献】
【０００３】
【特許文献１】特開２００８−５７８５５号公報
【発明の概要】
【発明が解決しようとする課題】
【０００４】
しかしながら、特許文献１に示されている人体局部洗浄装置の熱交換器においては、ケース８の一端１３と他端１４とで接合部の形状が異なっているため、組み立て時における作業内容が異なる。また、流入口１０および流出口１２とケース８とが別体に形成されているため、一体に形成されている場合に比べて接合箇所が多くなる。一方で、熱交換器ひいては人体局部洗浄装置の低コスト化の要請がある。
【０００５】
そこで、本発明は、上述した問題を解消するためになされたもので、人体局部洗浄装置の熱交換器において、熱交換器ひいては装置全体の低コスト化を図ることを目的とする。
【課題を解決するための手段】
【０００６】
上記の課題を解決するため、請求項１に係る人体局部洗浄装置の熱交換器は、人体の局部を洗浄する洗浄水を加熱する人体局部洗浄装置の熱交換器であって、軸線方向に沿って延びる棒状に形成され、前記洗浄水を加熱するヒータと、両端にそれぞれ開口部を有し、かつ、内径を前記ヒータの外径より大きくなるように設定された筒状に形成され、内部に前記ヒータを収容するとともに、前記洗浄水が流通する流路が設けられたケースと、両前記開口部をそれぞれ液密的に塞ぐ第一キャップおよび第二キャップと、前記第一キャップおよび前記第二キャップのいずれか一方に一体に形成され、前記流路に前記洗浄水を導入する導入管と、前記第一キャップおよび前記第二キャップのいずれか一方に一体に形成され、前記流路から前記洗浄水を導出する導出管と、を備え、前記流路は、前記ケースの前記内部で前記ヒータの外周の空間が前記ヒータの周方向に互いに仕切られて前記洗浄水を前記軸線方向に流通する複数の直線部と、前記直線部による前記洗浄水の流通方向を反対方向に折返す折返し部とを有し、前記直線部と前記折返し部とが交互に接続されることにより、前記ヒータの両端部間を前記ヒータの前記周方向に亘って蛇行状に形成されている。
【発明の効果】
【０００７】
これによれば、導入管および導出管は、キャップに一体に形成されているため、各管がキャップに別体に形成されている場合に比べて、接合箇所が少ない。また、各キャップとケースとの接合部の形状を、例えば同じ形状にすることにより、接合部の形状が異なる場合に比べて、各キャップとケースとの接合を簡便に行うことができる。よって、熱交換器ひいては装置全体の低コスト化を図ることができる。
【図面の簡単な説明】
【０００８】
【図１】本発明の第一実施形態に係る人体局部洗浄装置の全体構成を示す概要図である。
【図２】図１に示す熱交換器の斜視図である。
【図３】図１に示す熱交換器の縦断面図である。
【図４】図３に示す熱交換器のIV-IV線に沿った断面図である。
【図５】図３に示す熱交換器のV-V線に沿った断面図である。
【図６】図３に示す熱交換器のVI-VI線に沿った断面図である。
【図７】本発明の第二実施形態に係る熱交換器の斜視図である。
【図８】本発明の各実施形態の変形例に係る熱交換器の縦断面図である。
【図９】図８に示す熱交換器のIX−IX線に沿った断面図である。
【図１０】図８に示す熱交換器のX−X線に沿った断面図である。
【図１１】図８に示す熱交換器のXI−XI線に沿った断面図である。
【発明を実施するための形態】
【０００９】
本発明に係る人体局部洗浄装置１の熱交換器における第一実施形態について、図面を参照しながら説明する。人体局部洗浄装置１は、洗浄水を噴出することにより、人体の局部を洗浄するものである。人体局部洗浄装置１は、図１に示すように、操作部１０、温水機能部２０、温水機能部２０に回動可能に支持される便座および便蓋（いずれも図示なし）を備えている。操作部１０は、人体局部洗浄装置１を遠隔操作するものである。操作部１０は、人体局部洗浄装置１を操作するための複数のスイッチ（図示なし）を備えている。操作部１０は、使用者によってスイッチを操作されることにより、温水機能部２０に所定の制御信号を無線送信する。
【００１０】
温水機能部２０は、分岐水栓２０ａ、ストレーナ２０ｂ、逆止弁２０ｃ、定流量弁２０ｄ、止水電磁弁２０ｅ、リリーフバルブ２０ｆ、流量センサ２０ｇ、第一温度センサ２０ｈ、第二温度センサ２０ｉ、熱交換器２０ｊ（３０）、ポンプ２０ｋ、流路切替弁２０ｍ、ノズル部２０ｎおよび制御部２０ｐを備えている。また、ノズル部２０ｎは、おしり洗浄を行うための洗浄水を噴出するおしりノズル２０ｎ１、および、ビデ洗浄を行うための洗浄水を噴出するビデノズル２０ｎ２を備えている。
【００１１】
また、温水機能部２０は、洗浄水が流通する第一流路Ｌ１、第二流路Ｌ２、第三流路Ｌ３および第四流路Ｌ４をさらに備えている。第一流路Ｌ１は、分岐水栓２０ａと熱交換器２０ｊとを接続する流路である。第一流路Ｌ１には、分岐水栓２０ａから順に、ストレーナ２０ｂ、逆止弁２０ｃ、定流量弁２０ｄ、止水電磁弁２０ｅ、リリーフバルブ２０ｆ、流量センサ２０ｇおよび第一温度センサ２０ｈが配設されている。第二流路Ｌ２は、熱交換器２０ｊと流路切替弁２０ｍとを接続する流路である。第二流路Ｌ２には、熱交換器２０ｊから順に、第二温度センサ２０ｉおよびポンプ２０ｋが配設されている。また、第三流路Ｌ３は、流路切替弁２０ｍとおしりノズル２０ｎ１とを接続する流路である。第四流路Ｌ４は、流路切替弁２０ｍとビデノズル２０ｎ２とを接続する流路である。
【００１２】
制御部２０ｐは、止水電磁弁２０ｅ、流量センサ２０ｇ、温度センサ２０ｈ，２０ｉ、熱交換器２０ｊ、ポンプ２０ｋおよび流路切替弁２０ｍと、電気的に接続されている。制御部２０ｐは、操作部１０から無線送信される制御信号に基づいて、流量センサ２０ｇおよび温度センサ２０ｈ，２０ｉの検出信号から、止水電磁弁２０ｅ、熱交換器２０ｊ、ポンプ２０ｋおよび流路切替弁２０ｍに所定の制御信号を送信して温水機能部２０を制御するものである。
【００１３】
分岐水栓２０ａは、水道配管２に取り付けられ、水道配管２に流れる上水を洗浄水として第一流路Ｌ１に導入するものである。ストレーナ２０ｂは、上水に含まれるゴミ等を除去するものである。逆止弁２０ｃは、分岐水栓２０ａから熱交換器２０ｊへの洗浄水の流れを許容するが、逆方向の流れを規制するものである。定流量弁２０ｄは、第一流路Ｌ１に流れる洗浄水の流量を一定に維持するものである。止水電磁弁２０ｅは、制御部２０ｐからの制御信号により、第一流路Ｌ１を開状態または閉状態にするものである。本実施形態においては、止水電磁弁２０ｅは、通常時（非制御時）に第一流路Ｌ１を閉状態にする。リリーフバルブ２０ｆは、定流量弁２０ｄによって流量が調整された洗浄水のうちポンプ２０ｋで吸引されない洗浄水を温水機能部２０から外部へ放出するものである。
【００１４】
流量センサ２０ｇは、第一流路Ｌ１に流れる洗浄水の流量（特に流量センサ２０ｇの設置場所の流量（単位時間あたりの流量））を検出するものである。流量センサ２０ｇによって検出された洗浄水の流量は、検出信号として、制御部２０ｐに送信される。また、第一温度センサ２０ｈは、第一流路Ｌ１に流れる洗浄水の温度（特に第一温度センサ２０ｈの設置場所の温度）を検出するものである。そして、第二温度センサ２０ｉは、第二流路Ｌ２に流れる洗浄水の温度（特に第二温度センサ２０ｉの設置場所の温度）を検出するものである。温度センサ２０ｈ，２０ｉによって検出された洗浄水の温度は、検出信号として、制御部２０ｐに送信される。
【００１５】
熱交換器２０ｊ（３０）は、人体の局部を洗浄する洗浄水を加熱するものである。熱交換器２０ｊは、制御部２０ｐからの制御信号に基づいて、第一流路Ｌ１から導入される洗浄水の温度を所定温度に加熱する。所定温度は、例えば３９℃である。ポンプ２０ｋは、熱交換器２０ｊによって加熱された洗浄水を導入し、第二流路Ｌ２を介して流路切替弁２０ｍに導出するものである。本実施形態において、ポンプ２０ｋは、プランジャポンプであり、モータおよびモータの回転駆動により往復運動するプランジャ（いずれも図示なし）を含んで構成されている。また、ポンプ２０ｋは、制御部２０ｐからの制御信号に基づいて、流路切替弁２０ｍに導出する洗浄水の流量を調整する。具体的には、ポンプ２０ｋのモータの回転数が制御部２０ｐによって調整されることにより、洗浄水の流量が調整される。
【００１６】
流路切替弁２０ｍは、ポンプ２０ｋからの洗浄水を、第三流路Ｌ３および第四流路Ｌ４の一方へ選択的に切り替えて導出するものである。流路切替弁２０ｍは、例えば三方弁である。第三流路Ｌ３に導出された洗浄水は、おしりノズル２０ｎ１から噴出する。また、第四流路Ｌ４に導出された洗浄水は、ビデノズル２０ｎ２から噴出する。
【００１７】
次に、熱交換器３０の構成について、詳細に説明する。熱交換器３０は、図２および図３に示すように、ヒータ３１、ケース３２、第一キャップ３３、第二キャップ３４、導入管３５および導出管３６を備えている。
【００１８】
ヒータ３１は、ヒータ３１の軸線３１ａ方向に延びる棒状に形成され、洗浄水を加熱するものである。ヒータ３１は、シーズヒータである。ヒータ３１は、銅管のシース３１ｂ、シース３１ｂの内部に設けられた発熱部３１ｃ、発熱部３１ｃの周囲に充填された絶縁体３１ｄ、発熱部３１ｃと電気的に接続された端子３１ｅを備えている。発熱部３１ｃは、例えばニッケルクロムにより形成されたヒータ線である。絶縁体３１ｄは、例えば、酸化マグネシウム粉末である。発熱部３１ｃが通電されることにより発生した熱が、絶縁体３１ｄを介してシース３１ｂの表面に伝達する。
【００１９】
ケース３２は、例えばアルミニウム等の金属によって形成され、内筒３２ａ、外筒３２ｂ、および側壁３２ｃを備えている。
内筒３２ａは、両端にそれぞれ開口部３２ａ１，３２ａ２を有する筒状に形成されている。内筒３２ａは、軸線３１ａ方向に沿って延びるように形成されている。内筒３２ａは、内径をヒータ３１の外径より大きくなるように設定されている。内筒３２ａは、内部にヒータ３１を収容している。内筒３２ａの内周面に、ヒータ３１の外周面の少なくとも一部が接触するように固定されている。具体的には、内筒３２ａの内周面へのヒータ３１の圧入や、内筒３２ａを径方向に圧縮して、内筒３２ａの内周面とヒータ３１の外周面とが接触することにより、内筒３２ａとヒータ３１とが固定される。これにより、ヒータ３１の熱が、内筒３２ａを介してケース３２全体に伝達する。
【００２０】
外筒３２ｂは、両端にそれぞれ開口部３２ｂ１，３２ｂ２を有する筒状に形成されている。外筒３２ｂは、軸線３１ａ方向に沿って延びるように形成されている。外筒３２ｂは、は、内径をヒータ３１の外径より大きくなるように設定されている。具体的には、外筒３２ｂは、内筒３２ａを囲むように、かつ、外筒３２ｂの内側面と内筒３２ａの外側面とが空間をおいて対向するように配設されている。この外筒３２ｂの内側面と内筒３２ａの外側面との間の空間が、洗浄水を流通する第五流路Ｌ５（後述する）の一部を構成する。このように、ケース３２は、両端にそれぞれ開口部３２ａ１，３２ａ２，３２ｂ１，３２ｂ２を有し、かつ、内径（内筒３２ａの内径および外筒３２ｂの内径）をヒータ３１の外径より大きくなるように設定された筒状に形成され、内部にヒータ３１を収容するとともに、洗浄水を流通する第五流路Ｌ５が設けられている。
【００２１】
側壁３２ｃは、内筒３２ａの外側面と外筒３２ｂの内側面と間の空間（第五流路Ｌ５）を周方向に均等に４つに仕切る４つの側壁３２ｃ１〜３２ｃ４を備えている（図４参照）。側壁３２ｃ１〜３２ｃ４は、外筒３２ｂの左端面と右端面との間を、軸線３１ａに沿って延びるように形成されている。
【００２２】
第一キャップ３３は、例えばアルミニウム等の金属によって形成され、外筒３２ｂの図３の左側の開口部３２ｂ１を液密に塞ぐものである。具体的には、第一キャップ３３は、外筒３２ｂと同径の図３の右側を開口する円筒状に形成され、第一キャップ３３の右端面と外筒３２ｂの左端面とが、溶接されることにより液密に接合されている。また、第一キャップ３３の左側壁には、内筒３２ａが貫通する貫通穴３３ａが形成され、貫通穴３３ａの内周面と内筒３２ａの外周面とが溶接されることにより液密に接合されている。また、第一キャップ３３の内部の空間は、後述する第五流路Ｌ５の一部を構成する。
【００２３】
また、第一キャップ３３には、図５に示すように、側壁３３ｂがさらに設けられている。側壁３３ｂは、３つの側壁３３ｂ１〜３３ｂ３を有している。３つの側壁３３ｂ１〜３３ｂ３は、第一キャップ３３の右端面と左側壁内面との間を軸線３１ａ方向に沿って延びるように形成されている。また、３つの側壁３３ｂ１〜３３ｂ３は、第一キャップ３３の内周面から径方向内側に向かって延びるとともに、径方向内側の端面が内筒３２ａの外周面に液密に接触するようにそれぞれ形成されている。また、第一側壁３３ｂ１の右端面がケース３２の第一側壁３２ｃ１の左端面に、第二側壁３３ｂ２の右端面が第三側壁３２ｃ３の左端面に、第三側壁３３ｂ３の右端面が第四側壁３２ｃ４の左端面に、液密に接触するようにそれぞれ形成されている。このように、第一キャップ３３は、ケース３２の第二側壁３２ｃ２の左端面に接触する側壁が形成されていない。
【００２４】
第二キャップ３４は、例えばアルミニウム等の金属によって形成され、外筒３２ｂの図３の右側の開口部３２ｂ２を液密に塞ぐものである。具体的には、第二キャップ３４は、第一キャップ３３と同様の円筒状に形成され、図３の左側を開口している。そして、第二キャップ３４の左端面と外筒３２ｂの右端面とが、例えば溶接されることにより液密に接合されている。また、第二キャップ３４の右側壁には、第一キャップ３３と同様に貫通穴３４ａが形成され、貫通穴３４ａの内周面と内筒３２ａの外周面とが例えば溶接されることにより液密に接合されている。また、第二キャップ３４の内部の空間は、後述する第五流路Ｌ５の一部を構成する。
【００２５】
また、第二キャップ３４には、図６に示すように、側壁３４ｂがさらに設けられている。側壁３４ｂは、２つの側壁３４ｂ１，３４ｂ２を有している。２つの側壁３４ｂ１，３４ｂ２は、第二キャップ３４の左端面と右側壁内面との間を軸線３１ａ方向に沿って延びるように形成されている。また、２つの側壁３４ｂ１，３４ｂ２は、第二キャップ３４の内周面から径方向内側に向かって延びるとともに、径方向内側の端面が内筒３２ａの外周面に液密に接触するようにそれぞれ形成されている。また、第一側壁３４ｂ１の左端面がケース３２の第二側壁３２ｃ２の右端面に、第二側壁３４ｂ２の左端面が第四側壁３２ｃ４の右端面に、液密に接触するようにそれぞれ形成されている。このように、第二キャップ３４は、ケース３２の側壁３２ｃ１，３２ｃ３の左端面に接触する側壁が形成されていない。
【００２６】
第五流路Ｌ５（本発明の流路に相当）は、ケース３２の外筒３２ｂの内周面、第一キャップ３３および第二キャップ３４の内側面およびケース３２の内筒３２ａの外周面の間に設けられた空間に形成されている。
第五流路Ｌ５は、図４乃至図６に示すように、側壁３２ｃ、３３ｂ、３４ｂによって仕切られるように形成され、軸線３１ａ方向に延びる４つの直線部ＳＬ１〜ＳＬ４を有している。さらに、第五流路Ｌ５は、第一直線部ＳＬ１と第二直線部ＳＬ２とを接続する第一接続部Ｃ１、および、第二直線部ＳＬ２と第三直線部ＳＬ３とを接続する第二接続部Ｃ２、第三直線部ＳＬ３と第四直線部ＳＬ４と接続する第三接続部Ｃ３を有している。第一接続部Ｃ１は、図６に示すように、第二キャップ３４の内部における側壁３４ｂおよび内筒３２ａによって仕切られた左上側の空間である。第二接続部Ｃ２は、図５に示すように、第一キャップ３３の内部における第一側壁３３ｂ１、内筒３２ａ、第二側壁３３ｂ２によって仕切られた左下側の空間である。第三接続部Ｃ３は、図６に示すように、第二キャップ３４の内部における側壁３４ｂおよび内筒３２ａによって仕切られた右下側の空間である。なお、接続部Ｃ１〜Ｃ３は、本発明の折返し部に相当する。
【００２７】
導入管３５は、図３に示すように、第一キャップ３３に一体に形成され、第五流路Ｌ５に洗浄水を導入するものである。導入管３５は、第一キャップ３３の左側壁に、軸線３１ａ方向に沿って形成されている。導入管３５の一端は、第一流路Ｌ１に接続されている。導入管３５の他端は、第五流路Ｌ５の第一直線部ＳＬ１に接続されている。
【００２８】
導出管３６は、第一キャップ３３に一体に形成され、第五流路Ｌ５から洗浄水を導出するものである。導出管３６は、第一キャップ３３の左側壁に、軸線３１ａ方向に沿って形成されている。導出管３６の一端は、第五流路Ｌ５の第四直線部ＳＬ４に接続されている。導出管３６の他端は、第二流路Ｌ２に接続されている。
【００２９】
次に、上述した第一実施形態における熱交換器３０内における洗浄水の流れについて説明する。人体局部洗浄装置１の使用者が、例えばおしり洗浄を行う場合、操作部１０を操作することにより、止水電磁弁２０ｅが第一流路Ｌ１を開状態にすることで、水道配管２からの洗浄水が、第一流路Ｌ１を介して熱交換器３０内に導入される。
【００３０】
第一流路Ｌ１からの洗浄水は、導入管３５を介して第五流路Ｌ５の第一直線部ＳＬ１に導入される。洗浄水は、第一直線部ＳＬ１を軸線３１ａ方向に図３における左側から右側へ第一接続部Ｃ１に向かって流通し、第一接続部Ｃ１を介して第二直線部ＳＬ２に流入する。このとき、洗浄水の流通方向が折返され、洗浄水が第二直線部ＳＬ２を図３の右側から左側へ第二接続部Ｃ２に向かって流通する。また、洗浄水は、第二接続部Ｃ２にて流通方向が折返されて第三直線部ＳＬ３に流入する。さらに、洗浄水は、第三直線部ＳＬ３を第三接続部Ｃ３に向かって流通し、第三接続部Ｃ３にて流通方向が折り返されて第四直線部ＳＬ４に流入する。そして、洗浄水は、第四直線部ＳＬ４から導出管３６を介して、第二流路Ｌ２に導出される。このように、第五流路Ｌ５は、洗浄水を軸線３１ａ方向に流通する直線部ＳＬ１〜ＳＬ４と、洗浄水の流通方向を折返す接続部Ｃ１〜Ｃ３とが交互に接続されることにより蛇行状に形成されている。
なお、ヒータ３１からの熱がケース３２全体に伝達しているため、洗浄水は、第五流路Ｌ５を流通するときに加熱される。
【００３１】
本第一実施形態によれば、人体局部洗浄装置１の熱交換器３０は、人体の局部を洗浄する洗浄水を加熱する人体局部洗浄装置１の熱交換器３０であって、軸線３１ａ方向に沿って延びる棒状に形成され、洗浄水を加熱するヒータ３１と、両端にそれぞれ開口部３２ｂ１，３２ｂ２を有し、かつ、内径をヒータ３１の外径より大きくなるように設定された筒状に形成され、内部にヒータ３１を収容するとともに、洗浄水を流通する第五流路Ｌ５が設けられたケース３２と、両開口部３２ｂ１，３２ｂ２をそれぞれ液密的に塞ぐ第一キャップ３３および第二キャップ３４と、第一キャップ３３に一体に形成され、第五流路Ｌ５に洗浄水を導入する導入管３５と、第一キャップ３３に一体に形成され、第五流路Ｌ５から洗浄水を導出する導出管３６と、を備えている。
これによれば、導入管３５および導出管３６は、第一キャップ３３に一体に形成されているため、各管３５，３６が各キャップ３３，３４に対して別体に形成されている場合に比べて、接合箇所が少ない。また、各キャップ３３，３４のケース３２との接合部の形状を、例えば同じ形状にすることにより、接合部の形状が異なる場合に比べて、各キャップ３３，３４とケース３２との接合を簡便に行うことができる。よって、熱交換器３０ひいては装置全体の低コスト化を図ることができる。
【００３２】
また、導入管３５および導出管３６は、軸線３１ａ方向に沿って形成されている。
導入管３５（導出管３６）が軸線３１ａ方向に沿って形成されている場合、導入管３５（導出管３６）が軸線３１ａに向かう方向に沿って形成されているときに比べて、流路が屈曲していないため、流路の圧力損失が小さくなる。この場合、流路長さまたは流路断面積を小さくするように第五流路Ｌ５を形成することができるため、熱交換器３０の小型化を図ることができる。また、本実施形態のようにポンプ２０ｋによって、洗浄水を圧送している場合には、ポンプ２０ｋの動力を小さくすることができる。これらによって、熱交換器３０ひいては装置全体の低コスト化を図ることができる。
【００３３】
また、第五流路Ｌ５は、洗浄水を軸線３１ａ方向に流通する直線部ＳＬ１〜ＳＬ４と、洗浄水の流通方向を反対方向に折返す接続部Ｃ１〜Ｃ３とを交互に有する蛇行状に形成されている。
これによれば、従来技術の熱交換器３０のように、洗浄水が、ヒータ３１の一端から他端部へ軸線３１ａ方向に沿って一方向のみに流通する場合、洗浄水がヒータ３１の他端部に向かうにつれて、洗浄水の温度が上昇するため、ヒータ３１の他端部において熱伝達率が比較的低くなる。これにより、ヒータ３１の他端部の外表面の温度が比較的高くなることで、ヒータ３１の耐久性が低下する場合がある。これに対して、本実施形態においては、洗浄水がヒータ３１両端部の間を蛇行するように流通するため、ヒータ３１端部における熱伝達率の低下が抑制される。よって、ヒータ３１の外表面の温度上昇を抑制することができるため、ヒータ３１の耐久性の低下を抑制することができる。
【００３４】
次に、本発明による熱交換器３０の第二実施形態について、主に第一実施形態と異なる部分について、図７を用いて説明する。上述した第一実施形態においては、導入管３５および導出管３６は、軸線３１ａ方向に沿って形成されているが、本第二実施形態においては、軸線３１ａに向かう方向に沿って形成されている。具体的には、導入管３５および導出管３６は、軸線３１ａに対して垂直方向に沿って形成されている。また、導入管３５および導出管３６は、第一キャップ３３の周側壁に、第一キャップ３３と一体に形成されている。なお、導入管３５は、上述した第一実施形態と同様に、第一流路Ｌ１と第五流路Ｌ５の第一直線部ＳＬ１と接続し、導出管３６は、第五流路Ｌ５の第四直線部ＳＬ４と第二流路Ｌ２とを接続している。
【００３５】
本第二実施形態によれば、導入管３５および導出管３６は、軸線３１ａに向かう方向に沿って形成されている。
導入管３５（導出管３６）が軸線３１ａ方向に向かって形成されている場合、導入管３５（導出管３６）が軸線３１ａ方向に沿って形成されているときに比べて、流路が屈曲しているため、洗浄水の流れが乱れている。これにより、洗浄水が攪拌されるため、ヒータ３１から洗浄水への熱伝達率が向上する。よって、第五流路Ｌ５の長さを短くすることができるため、熱交換器３０の小型化を図ることができる。したがって、熱交換器３０ひいては装置全体の低コスト化を図ることができる。
【００３６】
次に、上述した各実施形態の変形例について、主として各実施形態と異なる部分について、図８乃至図１１を用いて説明する。上述した各実施形態においては、ケース３２の内部の空間が周方向に均等に４つに仕切られているが、これに代えて、本変形例においては、ケース３２の内部の空間が周方向に均等に３つに仕切られている。具体的には、ケース３２の側壁１３２ｃは、図９に示すように、内筒３２ａの外側面と外筒３２ｂの内側面と間の空間（第五流路Ｌ５）を周方向に均等に３つに仕切る３つの側壁１３２ｃ１〜１３２ｃ３を備えている。側壁１３２ｃ１〜１３２ｃ３は、外筒３２ｂの左端面と右端面との間を、軸線３１ａに沿って延びるように形成されている。
【００３７】
また、第一キャップ３３には、図１０に示すように、２つの側壁１３３ｂ１，１３３ｂ２が形成されている。ケース３２および第一キャップ３３において、第一側壁１３２ｃ１の左端面が第一側壁１３３ｂ１の右端面に、第三側壁１３２ｃ３の左端面が第二側壁１３３ｂ２の右端面に、液密に接触するようにそれぞれ形成されている。第一キャップ３３には、第二側壁１３２ｃ２に接触する側壁が形成されていない。また、第二キャップ３４には、図１１に示すように、２つの側壁１３４ｂ１，１３４ｂ２が形成されている。ケース３２および第二キャップ３４において、第二側壁１３２ｃ２の右端面が第一側壁１３４ｂ１の左端面に、第三側壁１３２ｃ３の右端面が第二側壁１３４ｂ２の左端面に、液密に接触するようにそれぞれ形成されている。第二キャップ３４には、第一側壁１３２ｃ１に接触する側壁が形成されていない。このように、各側壁を形成することにより、図９乃至図１１に示すように、第五流路Ｌ５には、軸線３１ａ方向に延びる３つの直線部ＳＬ１１〜ＳＬ１３、第二キャップ３４の内部に第一直線部ＳＬ１１と第二直線部ＳＬ１２とを接続する第一接続部Ｃ１１（図１１参照）、および、第一キャップ３３の内部に第二直線部ＳＬ１２と第三直線部ＳＬ１３とを接続する第二接続部Ｃ１２（図１０参照）が形成される。
【００３８】
そして、導入管１３５は、第一キャップ３３に一体に形成され、第一流路Ｌ１と第一直線部ＳＬ１１と接続している。導出管１３６は、第二キャップ３４に一体に形成され、第三直線部ＳＬ１３と第二流路Ｌ２とを接続している。このように、第五流路Ｌ５は、洗浄水を軸線３１ａ方向に流通する直線部ＳＬ１１〜ＳＬ１３と、洗浄水の流通方向を折返す接続部Ｃ１１，Ｃ１２とが交互に接続されることにより蛇行状に形成されている。なお、図８において、導入管１３５および導出管１３６は、軸線３１ａ方向に沿って形成されているが、導入管１３５および導出管１３６を軸線３１ａに向かう方向に沿って形成するようにしても良い。
【００３９】
本変形例によれば、第五流路Ｌ５の直線部が奇数個形成されている場合、導入管１３５と導出管１３６とがそれぞれ異なるキャップに形成されるため、両キャップ３３，３４の形状を同じにすることができる。この場合、両キャップ３３，３４の形状が異なる場合に比べて、各キャップ３３，３４のコストを低減することができる。よって、熱交換器３０ひいては装置全体の低コスト化を図ることができる。
また、第五流路Ｌ５の直線部が偶数個形成されている場合、導入管３５および導出管３６が第一キャップ３３および第二キャップ３４の一方（上述した各実施形態においては第一キャップ３３）に形成される。このように、第五流路Ｌ５の直線部の個数を変更することにより、導入管３５および導出管３６が形成される位置を変更することができるため、装置内における熱交換器３０を配置する位置の自由度を向上させることができる。このように、導入管３５は、第一キャップ３３および第二キャップ３４の一方に一体に形成される。また、導出管３６は、第一キャップ３３および第二キャップ３４の一方に一体に形成される。
【００４０】
なお、上述した実施形態において、人体局部洗浄装置の熱交換器の一例を示したが、本発明はこれに限定されず、他の構成を採用することもできる。例えば、導入管３５および導出管３６は、共に軸線３１ａ方向に沿って形成されているが、これに代えて、導入管３５および導出管３６の一方を軸線３１ａに向かう方向に沿って形成されているようにしても良い。すなわち、導入管３５および導出管３６の少なくとも一方は、軸線３１ａ方向に沿って形成されているようにしても良い。また、上述した第二実施形態において、導入管３５および導出管３６は、共に軸線３１ａに向かう方向に沿って形成されているが、これに代えて、導入管３５および導出管３６の一方を軸線３１ａ方向に沿って形成されているようにしても良い。すなわち、導入管３５および導出管３６の少なくとも一方は、軸線３１ａに向かう方向に沿って形成されているようにしても良い。
これによれば、従来技術のように、導入管３５および導出管３６がケース３２またはキャップ３３，３４と別体に形成されている場合、導入管３５および導出管３６の位置または方向を変更するためには、接合部の形状を変更する必要がある。これに対して、本発明の人体局部洗浄装置１の熱交換器３０においては、導入管３５および導出管３６の位置または方向が異なるキャップを設けることにより、キャップを変更するだけで導入管３５および導出管３６の位置または方向を簡便に変更することができる。よって、装置内における熱交換器３０を配置する位置の自由度を簡便に向上させることができる。
【００４１】
また、上述した実施形態において、ヒータ３１は、シーズヒータであるが、これに代えて、ヒータ３１をセラミックヒータにて構成するようにしても良い。
また、上述した実施形態において、ケース３２は、円筒状に形成されているが、これに代えて、ケース３２を角筒に形成するようにしても良い。
【００４２】
また、上述した実施形態において、ケース３２、各キャップ３３，３４には、側壁が形成されているが、これに代えて、ケース３２、各キャップ３３，３４に側壁を形成しないようにしても良い。この場合、第五流路Ｌ５は、蛇行状に形成されない。
また、上述した実施形態において、ケース３２は、内筒３２ａを有しているが、これに代えて、ケース３２が内筒３２ａを有さないようにしても良い。この場合、第五流路Ｌ５は、外筒３２ｂの内側面および各キャップ３３，３４の内側面と、ヒータ３１の外周面との間の空間にて形成される。
また、本発明の要旨を逸脱しない範囲において、第五流路Ｌ５を構成する直線部の個数、側壁の個数および位置、および、導入管３５および導出管３６を配設する位置等を変更しても良い。
【符号の説明】
【００４３】
１…人体局部洗浄装置、１０…操作部、２０…温水機能部、２０ｊ（３０）…熱交換器、３１…ヒータ、３１ａ…軸線、３２…ケース、３２ａ…内筒、３２ａ１，３２ａ２，３２ｂ１，３２ｂ２…開口部、３２ｂ…外筒、３２ｃ…側壁、３３…第一キャップ、３３ｂ…側壁、３４…第二キャップ、３４ｂ…側壁、３５…導入管、３６…導出管、Ｃ１…第一接続部（折返し部）、Ｃ２…第二接続部（折り返し部）、Ｃ３…第三接続部（折返し部）、Ｌ５…第五流路（流路）、ＳＬ１…第一直線部、ＳＬ２…第二直線部、ＳＬ３…第三直線部、ＳＬ４…第四直線部。
【図１】
0006531377.tif 000002
【図２】
0006531377.tif 000003
【図３】
0006531377.tif 000004
【図４】
0006531377.tif 000005
【図５】
0006531377.tif 000006
【図６】
0006531377.tif 000007
【図７】
0006531377.tif 000008
【図８】
0006531377.tif 000009
【図９】
0006531377.tif 000010
【図１０】
0006531377.tif 000011
【図１１】
0006531377.tif 000012